(57)【要約】【課題】従来は、紐と取り付け具をつなげるために、それぞれの部材を製作し、組み付けるだけでジョイントできるようにしたもので、従来のように縫着、接着、溶着などの手間を省けるようにしたものである。【解決手段】紐１はナイロン、ポリウレタン、ポリエステルなどの熱可塑性樹脂から構成され、端面を溶解することで一体の鍔状係止部１１を形成し、携行品への取り付け具２、長さ調節用の調節スライド９及びセーフティジョイント８の少なくとも一つに、鍔状係止部１１の当接面２１ａ，９ａを備えた挿通環２１を設け、紐を挿通環に通した。【選択図】図３
2008012205.tif 000002
【特許請求の範囲】
【請求項１】
紐はナイロン、ポリウレタン、ポリエステルなどの熱可塑性樹脂から構成され、端面を溶解することで一体の鍔状係止部を形成し、携行品への取り付け具、長さ調節用の調節スライド及びセーフティジョイントの少なくとも一つに、鍔状係止部の当接面を備えた挿通環を設け、紐を挿通環に通し抜け落ちを防ぐようにしたことを特徴とするストラップのジョイント部。
【請求項２】
携行品への取り付け具、長さ調節用の調節スライド又はセーフティジョイントの挿通環に、紐を通すためのスリットを設け、スリットから紐を挿通環に通すようにしたことを特徴とする請求項１記載のストラップのジョイント部。
【請求項３】
紐を平紐とし、携行品への取り付け具又はセーフティジョイントの挿通環に、紐を通すためのスリットを設け、鍔状係止部が当接し嵌り込む凹溝、或いは挿通環に対峙する突起を設けて紐が緩まないようにしたことを特徴とする請求項１記載のストラップのジョイント部。
【請求項４】
携行品への取り付け具の挿通環に続けて鍔状係止部が当接し嵌り込む凹溝及び肉薄となる段部を続けて形成し、紐の鍔状係止部を挿通環に取り付け易くしたことを特徴とする請求項２記載のストラップのジョイント部。
【発明の詳細な説明】
【技術分野】
【０００１】
この発明は、ＩＣカード、ＩＤカード、デジタルカメラ、眼鏡ケース、抱えかばん、携帯電話など様々な携行品を身体に付けて、具体的には首に掛けたり（ネックストラップ）、手首に回して（ハンドストラップ）吊り下げるためのストラップに関するもので、詳しくはストラップを構成する合成樹脂製（合成繊維製）の紐と同じく合成樹脂製或いは金属製の取り付け具等とを繋ぎ合わせるジョイント部の構造に関するものである。
【背景技術】
【０００２】
従来、首や手首に掛け回す紐と、機器への取り付け手段（紐、掛止め具）を一体或いは別途設けるようにした合成樹脂製の取り付け具とを繋ぎ合わせるジョイント部は、図１０に提示するような構造となっていた。
すなわち、図１０（ａ）は、特許文献１に提示するように平板上の取り付け具５０に長孔５１を穿ち、この長孔５１に紐６０を通して紐６０の先端部を重ね合わせて縫い付けるようにしたものである。
図１０（ｂ）は、一部を扁平角筒状とした取り付け具５０に、平紐６０の端に接着剤を塗布して差し込み接着したり、或いは加熱溶着して（特許文献２）一体にしてある。
【０００３】
図１０（ｃ）は、扁平角筒状の取り付け具５０の端部に丸孔５２を穿ち、差し込んだ平紐６０と一体とするため、超音波溶着機又は半田鏝で、平紐６０と丸孔５２の孔縁を溶解させ接着するようにしたものである。熱圧着するものとしては特許文献３に同様な技術が開示されている。
このほか図示しないが、図１０（ｃ）と同様な構造で溶解した樹脂の代わりに鳩目やかしめ金具などにて紐と取り付け具をつなげるようにすることもあった。
【特許文献１】特開２００２−１６８０２８
【特許文献２】特開２００３−３３２１５
【特許文献３】特開２００２−２９１５１５
【発明の開示】
【発明が解決しようとする課題】
【０００４】
従来の手段では、紐と取り付け具をつなげるために、縫ったり、接着したり、溶着したり、ビス止めしたりすることになり、別途つなげるための手段・部材を用意したり、必要に応じてそのための機器を用いて作業をする必要があった。
【０００５】
そこで、この発明ではそれぞれの部材を製作し、組み付けるだけでジョイントできるようにしたもので、縫着、接着、溶着などの手間を省けるようにすべく鋭意開発したものである。
【課題を解決するための手段】
【０００６】
この発明はこのような課題を解決するためのもので、請求項１のストラップのジョイント部に係わる発明の要旨とするのは、紐はナイロン、ポリウレタン、ポリエステルなどの熱可塑性樹脂から構成され、端面を溶解することで一体の鍔状係止部を形成し、携行品への取り付け具、長さ調節用の調節スライド及びセーフティジョイントの少なくとも一つに、鍔状係止部の当接面を備えた挿通環を設け、紐を挿通環に通し抜け落ちを防ぐようにしたことを特徴とする。
【０００７】
請求項２の発明は、携行品への取り付け具、長さ調節用の調節スライド又はセーフティジョイントの挿通環に、紐を通すためのスリットを設け、スリットから紐を挿通環に通すようにしたことを特徴とする。
請求項３の発明は、紐を平紐とし、携行品への樹脂製の取り付け具又はセーフティジョイントの挿通環に続けて鍔状係止部が当接し嵌り込む凹溝、或いは、挿通環に対峙する突起を設けて紐が緩まないようにしたことを特徴とする。
請求項４の発明は、携行品への樹脂製の取り付け具の挿通環に続けて鍔状係止部が当接し、嵌り込む凹溝及び肉薄となる段部を続けて形成し、紐の鍔状係止部を挿通環に取り付け易くしたことを特徴とする。
【発明の効果】
【０００８】
この発明は以上のような構成からなるもので、請求項１の発明では、携行品への樹脂製の取り付け具、長さ調節用の調節スライド及びセーフティジョイントの挿通環に、鍔状係止部を備えない紐を通してから、通した紐の端面に鍔状係止部を形成する。このような構成とすることでジョイント部の一体性は高まることになる。熱可塑性樹脂による紐としたことで切断端がほつれることなく一体となる鍔状係止部が簡単に構成できることになる。
請求項２の発明に係わるストラップのジョイント部では、取り付け具、長さ調整用の調節リング及びセーフティジョイントに、鍔状係止部の当接する挿通環を設け、挿通環にスリットを設けることで、それぞれの部材を別途製作した後で組み付けることができるのである。
【０００９】
請求項３の発明は、紐を平紐とし、携行品への取り付け具又はセーフティジョイントの挿通環に、紐を通すためのスリットを設け、鍔状係止部が当接し嵌り込む凹溝、或いは挿通環に対峙する突起を設けて紐が緩まないようにしたことを特徴とする。
取り付け具又はセーフティジョイントに、挿通環に続けて鍔状係止部が当接し入り込む凹溝或いは挿通環と対峙する突起を設けるようにしたので、全体として体裁がすっきりするばかりか、鍔状係止部が凹溝内に収まるので、緩んだり外れたりすることもない。
請求項４の発明は、組み付け易さに配慮して凹溝に続けて、肉薄となる段部を設けることで紐を押し込め組み付けるのが若干容易になるものである。
【００１０】
この発明は以上のように、ストラップの紐と樹脂製の部材へのジョイント手段について、特に紐に鍔状係止部を一体に形成できるので、一体に組み付けた後は体裁がすっきりして余計な突起や部材を必要としないのである。
【発明を実施するための最良の形態】
【００１１】
以下図面に示すこの発明の実施の形態に即して説明する。
図１は、ストラップの紐１に係止部を形成する様子を簡略化して示すものである。紐１の素材は、ナイロン、ポリウレタン、ポリエステルなどの溶融固化する熱可塑性樹脂のみからなるものであり、加熱した切断刃（ヒートカッター）にて溶断し、切断刃の側面に押し付けることで平坦で硬質な鍔状係止部１１を紐１と一体に形成する。ヒートカッターにて切断しただけでも鍔状係止部１１を形成できるが、押し付けたほうがより良い形に仕上がる。通電灼熱させたニクロム線などにより溶断しても良い。
更には、切断刃にて切り離してから端面にライターなどの加熱手段にて熱を加えて溶解させても良い。
【００１２】
図２及び図３は、金具或いは合成樹脂製の取り付け具２の紐１への組み付け手段を示すもので、取り付け具２の端部には紐１を通すためのスリット２１１を備えた挿通環２１を一体に設け、取り付け具２の挿通環２１に臨む平坦面には鍔状係止部１１の一部が嵌り込む凹溝２１２が設けてある。スリット２１１は挿通環２１の開放端側を順次広くしてなる漏斗状部を備えて紐１を通しやすくしている。挿通環２１に通した紐１を引くことで、鍔状係止部１１が取り付け具２の凹溝２１２に嵌り込み、かつ挿通環２１の端面に当接することで抜け落ちが防がれる。そこで、鍔状係止部１１の当接面２１ａは、挿通環２１の端面及び凹溝２１２ということになる。加えて凹溝２１２に嵌り込むことで、紐１と取り付け具２との一体性が担保されることになる。
【００１３】
図４は取り付け具２の別の実施の形態を示し、挿通環２１のスリット２１１を同幅のスリット２１１のみとしたもので、挿通環２１を若干変形させたり、紐１を一時的に押し潰すことで組み付けるようにする。
図５は、取り付け具２の挿通環２１に臨む凹溝２１２に代えて、挿通環２１に近接して対峙する突起２１３を設けるようにしたものである。この突起２１３により紐１の鍔状係止部１１の動きを制約し、かつ破損を防ぐようにしている。この実施の形態では挿通環２１の端面のみで連続した当接面２１ａを形成できるので凹溝２１２は不要となる。
図示しないが、挿通環２１にスリット２１１を設けずに、紐１を挿通環２１に通してから鍔状係止部１１を形成するようにしても良い。
【００１４】
図６はネックストラップＮのジョイント部を強調した斜視図で、ここで提示されるのは、サングラスや老眼鏡など一時的に収納する不織布或いは肉厚の布製の眼鏡ケース６をネックストラップＮで首に掛けられるようにしたものである。
携行品への取り付け具２は図７に詳細に示すように合成樹脂の成形品からなるもので、一端部は肉厚に構成し、携行品としての眼鏡ケース６に取り付けられた幅広布製のリングベルト６１を止めるベルト通し溝２３を形成するようにしてある。
このベルト通し溝２３は、取り付け具２の側端縁と平行するリングベルト６１を巻き掛ける細長溝２３１とこの細長溝２３１と斜交交差して側端縁に開口する斜交溝２３２からなるもので、斜交溝２３２からリングベルト６１を入れて細長溝２３１に案内して吊るすようにする。
【００１５】
樹脂製の取り付け具２の他端には、紐１の両端を抜け落ちないように留めるために、紐１を通すための一対の挿通環２１．２１を左右に広がるように設けるようにしてある。
この挿通環２１は基本的には図２、図３で説明した構造と同じものであるので同一箇所は同一番号を付して説明を省略する。
取り付け具２の凹溝２１２に続けて中央に肉薄となる段部２４を形成し、紐１を挿通環２１に組み付け易くしている。
【００１６】
図８は、ＩＤカードや名刺を挟み込む透明樹脂製ホルダー７を首に掛けるためのネックストラップＮを示すものである。
この樹脂製の取り付け具２は、一端に透明樹脂製ホルダー７の受け孔７１に遊びをもって通すフック２５を設けてある。このフック２５開放端縁部は透明樹脂製ホルダー７が抜け落ちないように折り返され密着封鎖し、かつ取り付けるときのガイドとなるように屈曲させてある。
取り付け具２の他端には左右に、紐１の鍔状係止部１１にて両端を抜け落ちないように留めるために、紐１を通すための一対の挿通環２１，２１を左右に広がるように設けるようにしてある。この挿通環２１の構造は図４に提示するものと同一なので詳細な説明は省略する。
ネックストラップＮとなる紐１の両端には鍔状係止部１１を一体に設けてあり、紐１の側端縁を重ね合わせ挿通環２１のスリット２１１から入り込ませ組み付けなどして通すようにする。
【００１７】
ネックストラップＮの紐１の途中には、万が一紐が何かに引っ掛かって首が絞まったり、転倒しないように分離して外れる合成樹脂の成形品からなるソケット８１とプラグ８２からなるセーフティジョイント８を介在させている。
セーフティジョイント８のプラグ８２には，紐１の巻き掛け部８２ａをもって紐１につなげ長さを調整できるようになっている。ソケット８１には一体に図２図３に提示する取り付け具２と同じ構成となっており、挿通環２１及び凹溝２１２が形成されている。そして紐１は鍔状係止部１１にてジョイントするようになっている。
【００１８】
図９は、携帯電話、デジタルカメラ、抱えカバンなどに取り付けるハンドストラップＨを示すものである。
樹脂製の取り付け具２は、全体として略三角状をなし、尖った先端部を肉厚にし内部を通って一面に開口する細紐通し孔２６を設け、他端部には一対の挿通環２１，２１を左右に広げるように設けてある。
細紐２８の両端を纏めて細紐通し孔２６に挿入し細紐２８の端を開口から抜き出して固く結び開口内に結び目が入るようにして細紐２８を取り付けるようにしてある。
【００１９】
挿通環２１、２１は図４に示したものと同一の構造を備えているので説明は省略する。
紐１の両端には鍔状係止部１１を設けてあり、一方の鍔状係止部１１は挿通環２１に組み付けるが、他端の鍔状係止部１１は挿通環２１に組み付けない。
これは、紐１にて形成するループの大きさを可変とするために紐１の途中を挿通環２１に潜らせてから重ね合わせて、別途二つの調節スライド９，９にて止めるようにしてある。調節スライド９は重ね合わせた紐１を挟み込む樹脂成形品で紐１を通すためのスリット９１を備えている。
紐１の他端の鍔状係止部１１は、調節スライド９の端縁が当接面９ａとなり、纏められかつ止められることになる。この調節スライド９そのものが挿通環の役割を果たすことになる。
ハンドストラップＨの紐１の長さを所望の使いやすい長さとするため携行品への取り付け具２に掛け回しその開放端部を止めるため紐を重ねて通して纏めるための調節スライド９から外れないようにし、鍔状係止部１１にて所望の長さを維持することになる。
【００２０】
これまでの実施の形態では、樹脂製の取り付け具２の一方の肉厚部に一体にベルト通し溝２３、フック２５を設けたり、別途部材としての細紐２８を取り付けることで、機器をネックストラップＮやハンドストラップＨに取り付けるようにしている。
しかしこれに限定されることなく、なす環、金属製リング、クリップ、装身具用カラビナなどを用いて機器への取り付け手段としても良い。
【００２１】
また、これまでの実施の形態では紐１を扁平な平紐としたものとして説明したが、断面円形或いは楕円形の丸紐を用いることを排除するものではない。この場合は、紐１を通す挿通環２１の形状をパイプ状にすることになる。
【図面の簡単な説明】
【００２２】
【図１】この発明に係る紐の鍔状係止部を形成する斜視図である。
【図２】この発明に係るストラップのジョイント部の組み付け前の斜視図である。
【図３】この発明に係るストラップのジョイント部の組み付け状態図である。
【図４】この発明に係る樹脂製取り付け手段の挿通環の斜視図である。
【図５】同じくこの発明に係る樹脂製取り付け手段の挿通環の斜視図である。
【図６】この発明に係るネックストラップのジョイント部の斜視図である。
【図７】図６の樹脂製取り付け具の正面図（ａ）、平面図（ｂ）、側面図（ｃ）である。
【図８】この発明に係るネックストラップのジョイント部を示す斜視図である。
【図９】この発明に係るハンドストラップのジョイント部を示す斜視図である。
【図１０】（ａ）（ｂ）（ｃ）は従来のストラップのジョイント部を示す斜視図である。
【符号の説明】
【００２３】
１      紐
１１    鍔状係止部
２      取り付け具
２１    挿通環
２１１  スリット
２１２  凹溝
２１３  突起
２３    ベルト通し溝
２３１  細長溝
２３２  斜交溝
２４    段部
２５    フック
２６    細紐通し孔
６      眼鏡ケース
６１    リングベルト
７      透明樹脂製ホルダー
７１    受け孔
２８    細紐
８      セーフティジョイント
９      調節スライド
２１ａ，９ａ  当接面
【図１】
2008012205.tif 000003
【図２】
2008012205.tif 000004
【図３】
2008012205.tif 000005
【図４】
2008012205.tif 000006
【図５】
2008012205.tif 000007
【図６】
2008012205.tif 000008
【図７】
2008012205.tif 000009
【図８】
2008012205.tif 000010
【図９】
2008012205.tif 000011
【図１０】
2008012205.tif 000012